(57)【要約】【課題】  通信ネットワーク上で収集・保管されている診療や治療に必要な最低限の患者データ部分を、患者のプライバシーの保護を図りつつ参照できるようにする。更に、この患者データ部分では診療と治療に不足がある場合に、より詳細な患者データを取得できるようにする。【解決手段】  一の医療機関通信装置４は、患者データのうち少なくとも診療や治療に最低限必要なミニマムデータを予め登録するために、医療情報集中処理センタ通信装置３に転送しておく。その後、他の医療機関通信装置４において、患者からの当該患者データの参照が承諾された際に、当該患者データの転送を、医療情報集中処理センタ通信装置３に要求する。他の医療機関通信装置４では、要求に応じて転送されてきたミニマムデータを参照可能とされる。【選択図】  図１
2004265438.tif 000002
【特許請求の範囲】
【請求項１】
集中処理装置と複数の医療関連施設に夫々配置される施設処理装置との間で患者データを送受信する双方向通信ネットワークによる医療情報提供・取得システムであって、
前記双方向通信ネットワークに収容されると共に前記複数の医療関連施設のうち一の医療関連施設に配置される前記施設処理装置は、記録された各患者の患者データのうち該各患者により登録が承諾された限定的な情報量のデータ部分をミニマムデータとして抽出して前記集中処理装置に転送する第１転送手段を備え、
前記集中処理装置は、前記転送されてきたミニマムデータを前記各患者に対応付けて登録する登録手段を備え、
前記複数の医療関連施設のうち前記一又は他の医療関連施設に配置される前記施設処理装置は、前記各患者のうち一の患者についての前記登録されたミニマムデータの転送を前記集中処理装置に要求する第１要求手段を備え、
前記集中処理装置は、前記転送の要求を受け取ると、前記登録されたミニマムデータであって前記一の患者に係るものを検索して前記一又は他の医療関連施設に配置される施設処理装置に転送する第２転送手段を更に備え、
前記一又は他の医療関連施設に配置される施設処理装置は、前記転送されてきたミニマムデータを参照可能に構成されていることを特徴とする双方向通信ネットワークによる医療情報提供・取得システム。
【請求項２】
前記第１転送手段は、前記記録された患者データのうち前記データ部分を前記ミニマムデータとして抽出するのに代えて、前記各患者により登録が承諾された限定的な情報量の患者データを前記ミニマムデータとして入力することを特徴とする請求項１に記載の双方向通信ネットワークによる医療情報提供・取得システム。
【請求項３】
集中処理装置と複数の医療関連施設に夫々配置される施設処理装置との間で患者データを送受信する双方向通信ネットワークによる医療情報提供・取得システムであって、
前記双方向通信ネットワークに収容されると共に前記複数の医療関連施設のうち一の医療関連施設に配置される前記施設処理装置は、各患者により登録が承諾された患者データを前記集中処理装置に転送する第１転送手段を備え、
前記集中処理装置は、前記転送されてきた患者データを前記各患者に対応付けて登録する登録手段を備え、
前記複数の医療関連施設のうち前記一又は他の医療関連施設に配置される前記施設処理装置は、一の患者についての前記登録された患者データのうち該一の患者により参照が承諾された限定的な情報量のデータ部分からなるミニマムデータの転送を前記集中処理装置に要求する第１要求手段を備え、
前記集中処理装置は、前記転送の要求を受け取ると、前記登録された患者データから前記一の患者に係るものを検索し且つ前記検索された患者データから前記ミニマムデータを抽出して前記一又は他の医療関連施設に配置される施設処理装置に転送する第２転送手段を更に備え、
前記一又は他の医療関連施設に配置される施設処理装置は、前記転送されてきたミニマムデータを参照可能に構成されていることを特徴とする双方向通信ネットワークによる医療情報提供・取得システム。
【請求項４】
前記登録手段は、前記転送されてきた患者データを登録するのに代えて、前記転送されてきた患者データのうち前記各患者により参照が承諾された限定的な情報量のデータ部分をミニマムデータとして登録し、
前記第１要求手段は、前記登録された患者データのうち前記データ部分からなるミニマムデータの転送を要求するのに代えて、前記登録されたミニマムデータの転送を要求し、
前記第２転送手段は、前記登録された患者データから前記一の患者に係るものを検索し且つ前記ミニマムデータを抽出するのに代えて、前記登録されたミニマムデータから前記一の患者に係るものを検索することを特徴とする請求項３に記載の双方向通信ネットワークによる医療情報提供・取得システム。
【請求項５】
前記第１要求手段は、前記一の患者により参照が承諾された旨を示す承諾情報を提示して要求し、
前記第２転送手段は、前記承諾情報の提示を条件に前記ミニマムデータを転送することを特徴とする請求項１から４のいずれか一項に記載の双方向通信ネットワークによる医療情報提供・取得システム。
【請求項６】
前記登録手段は、前記患者により予め前記登録の承諾に加えて参照の承諾が得られている場合には該参照の承諾を示す承諾情報を前記ミニマムデータ又は前記患者データに付加して登録し、
前記第２転送手段は、前記承諾情報が付加されたミニマムデータ又は患者データについては、前記要求に応じて無条件に前記ミニマムデータを転送することを特徴とする請求項１から４のいずれか一項に記載の双方向通信ネットワークによる医療情報提供・取得システム。
【請求項７】
前記登録手段は、前記患者により予め前記登録の承諾に加えて参照の承諾が得られている場合には該参照の承諾を示す承諾情報を前記ミニマムデータ又は前記患者データに付加して登録し、
前記第２転送手段は、前記承諾情報が付加されたミニマムデータ又は患者データについては、前記要求に応じて無条件に前記ミニマムデータを転送し、前記承諾情報が付加されていないミニマムデータ又は患者データについては、前記第１要求手段からの前記一の患者により参照が承諾された旨を示す承諾情報の提示を条件に前記ミニマムデータを転送することを特徴とする請求項１から４のいずれか一項に記載の双方向通信ネットワークによる医療情報提供・取得システム。
【請求項８】
前記第１要求手段は、緊急・救急医療時である旨を示す第１緊急時情報を提示して要求し、
前記第２転送手段は、前記第１緊急時情報の提示を条件に前記ミニマムデータを転送することを特徴とする請求項１から７のいずれか一項に記載の双方向通信ネットワークによる医療情報提供・取得システム。
【請求項９】
前記登録手段は、前記患者により予め前記登録の承諾に加えて参照の承諾が得られている場合には該参照の承諾を示す承諾情報を前記ミニマムデータ又は前記患者データに付加して登録し、
前記第２転送手段は、前記承諾情報が付加されたミニマムデータ又は患者データについては、前記要求に応じて無条件に前記ミニマムデータを転送し、前記承諾情報が付加されていないミニマムデータ又は患者データについては、前記第１要求手段からの緊急・救急時である旨を示す第１緊急時情報の提示を条件に前記ミニマムデータを転送することを特徴とする請求項１から７のいずれか一項に記載の双方向通信ネットワークによる医療情報提供・取得システム。
【請求項１０】
前記ミニマムデータの情報量は、前記患者の承諾レベルに応じて可変に設定されることを特徴とする請求項１から９のいずれか一項に記載の双方向通信ネットワークによる医療情報提供・取得システム。
【請求項１１】
前記一又は他の医療関連施設に設置される施設処理装置は、予め設定された複数種類のテンプレートの中から一つを選択可能であり、更に該選択された一つのテンプレート上で、前記患者データを項目毎に前記患者の承諾レベルを示すデータに対応付けて入力可能なテンプレート入力手段を更に備えたことを特徴とする請求項１０に記載の双方向通信ネットワークによる医療情報提供・取得システム。
【請求項１２】
前記一又は他の医療関連施設に設置される施設処理装置は、予め設定された複数種類のテンプレートの中から一つを選択可能であり、更に該選択された一つのテンプレート上で、前記患者データを項目毎に入力可能なテンプレート入力手段を更に備えたことを特徴とする請求項１から１０のいずれか一項に記載の双方向通信ネットワークによる医療情報提供・取得システム。
【請求項１３】
前記一又は他の医療関連施設に設置される施設処理装置は、前記ミニマムデータでは治療或いは診療のために不足の場合に、前記集中処理装置を介して前記一の医療関連施設に設置される施設処理装置に、前記ミニマムデータ以外の患者データの転送を要求する第２要求手段を更に含むことを特徴とする請求項１から１２のいずれか一項に記載の双方向通信ネットワークによる医療情報提供・取得システム。
【請求項１４】
前記第２要求手段は、前記ミニマムデータ以外の患者データの転送を、前記一又は他の医療関連施設に配置される施設処理装置からの医療関連施設特定用の情報に基づいて特定された前記一の医療関連施設に配置される施設処理装置に対して要求することを特徴とする請求項１３に記載の双方向通信ネットワークによる医療情報提供・取得システム。
【請求項１５】
前記第２要求手段は、前記ミニマムデータ以外の患者データの転送を、前記集中処理装置が前記一の患者の受診履歴を参照することにより特定された前記一の医療関連施設に配置される施設処理装置に対して要求することを特徴とする請求項１３に記載の双方向通信ネットワークによる医療情報提供・取得システム。
【請求項１６】
前記第２要求手段は、前記ミニマムデータ以外の患者データの転送の要求を、電子メール又はファクシミリ伝送を含む自動転送で実行することを特徴とする請求項１３から１５のいずれか一項に記載の双方向通信ネットワークによる医療情報提供・取得システム。
【請求項１７】
前記第２要求手段は、緊急・救急医療時である旨を示す第２緊急時情報を提示して要求し、
前記第２転送手段は、前記第２緊急時情報の提示を条件に前記ミニマムデータ以外の患者データを転送することを特徴とする請求項１３から１６のいずれか一項に記載の双方向通信ネットワークによる医療情報提供・取得システム。
【請求項１８】
前記登録手段は、前記ミニマムデータ又は前記患者データの少なくとも一部の転送が要求された際に(i)無条件に参照可能とするか(ii)前記一の患者により参照が承諾された旨を示す承諾情報の提示を条件に参照可能とするか若しくは(iii)緊急・救急医療時である旨を示す緊急時情報の提示を条件に参照可能とするか、を示す参照可能条件情報を、予め前記患者データに対応付けて登録し、
前記第２転送手段は、前記登録手段に登録された参照可能条件情報が示す条件で、前記ミニマムデータ又は前記患者データの少なくとも一部を転送することを特徴とする請求項１から１７のいずれか一項に記載の双方向通信ネットワークによる医療情報提供・取得システム。
【請求項１９】
前記登録手段は、前記ミニマムデータ又は前記患者データの少なくとも一部の転送が要求された際に(i)無条件に参照可能とする患者データ範囲(ii)前記一の患者により参照が承諾された旨を示す承諾情報の提示を条件に参照可能とする患者データ範囲若しくは(iii)緊急・救急医療時である旨を示す緊急時情報の提示を条件に参照可能とする患者データ範囲を示す参照可能範囲情報を、予め前記患者データに対応付けて登録し、
前記第２転送手段は、前記登録手段に登録された参照可能範囲情報が示す患者データ範囲で、前記ミニマムデータ又は前記患者データの少なくとも一部を転送することを特徴とする請求項１から１７のいずれか一項に記載の双方向通信ネットワークによる医療情報提供・取得システム。
【請求項２０】
集中処理装置と複数の医療関連施設に夫々配置される施設処理装置との間で患者データを送受信する双方向通信ネットワークによる医療情報提供・取得方法であって、
前記双方向通信ネットワークに収容されると共に前記複数の医療関連施設のうち一の医療関連施設に配置される前記施設処理装置によって、記録された各患者の患者データのうち該各患者により登録が承諾された限定的な情報量のデータ部分をミニマムデータとして抽出して前記集中処理装置に転送する第１転送工程と、
前記集中処理装置によって、前記転送されてきたミニマムデータを前記各患者に対応付けて登録する登録工程と、
その後、前記複数の医療関連施設のうち前記一又は他の医療関連施設に配置される前記施設処理装置によって、前記各患者のうち一の患者についての前記登録されたミニマムデータの転送を前記集中処理装置に要求する第１要求工程と、
該転送の要求を受け取った前記集中処理装置によって、前記登録されたミニマムデータであって前記一の患者に係るものを検索して前記一又は他の医療関連施設に配置される施設処理装置に転送する第２転送工程と
を含み、
前記一又は他の医療関連施設に配置される施設処理装置は、前記転送されてきたミニマムデータを参照可能に構成されていることを特徴とする双方向通信ネットワークによる医療情報提供・取得方法。
【請求項２１】
集中処理装置と複数の医療関連施設に夫々配置される施設処理装置との間で患者データを送受信する双方向通信ネットワークによる医療情報提供・取得方法であって、
前記双方向通信ネットワークに収容されると共に前記複数の医療関連施設のうち一の医療関連施設に配置される前記施設処理装置によって、各患者により登録が承諾された患者データを前記集中処理装置に転送する第１転送工程と、
前記集中処理装置によって、前記転送されてきた患者データを前記各患者に対応付けて登録する登録工程と、
その後、前記複数の医療関連施設のうち前記一又は他の医療関連施設に配置される前記施設処理装置によって、一の患者についての前記登録された患者データのうち該一の患者により参照が承諾された限定的な情報量のデータ部分からなるミニマムデータの転送を前記集中処理装置に要求する第１要求工程と、
該転送の要求を受け取った前記集中処理装置によって、前記登録された患者データから前記一の患者に係るものを検索し且つ前記検索された患者データから前記ミニマムデータを抽出して前記一又は他の医療関連施設に配置される施設処理装置に転送する第２転送工程と
を含み、
前記一又は他の医療関連施設に配置される施設処理装置は、前記転送されてきたミニマムデータを参照可能に構成されていることを特徴とする双方向通信ネットワークによる医療情報提供・取得方法。
【請求項２２】
コンピュータを、請求項１から１９のいずれか一項に記載の双方向通信ネットワークによる医療情報提供・取得システムに備えられた前記集中処理装置及び前記施設処理装置のうち少なくとも一方として機能させるコンピュータプログラム。
【発明の詳細な説明】
【技術分野】
【０００１】
本発明は、例えばＴＣＰ／ＩＰ(Transmission Control Protocol/Internet Protocol)環境下のコンピュータ双方向通信ネットワーク（インターネット等）による、医療情報提供・取得システム及び方法並びに、コンピュータをそのようなシステムとして機能させるコンピュータプログラムの技術分野に関する。
【背景技術】
【０００２】
従来、医療関連施設或いは医療機関（以下適宜、「病院」と記載）では、個々に構築したローカルエリアネットワーク（ＬＡＮ）やスタンドアローン小型汎用コンピュータを用いて各種の医療情報を処理している。例えば、診療報酬（レセプト）自動計算処理を行う医事会計システムが普及している。また、病院内の各部署に検査依頼、薬剤処方依頼をデータ転送する検査依頼（オーダ）システムや薬局システムなどの各種オーダシステムの導入も進展している。これらのシステムによって、病院内における各種処理作業が迅速化され、医療処理の質的な向上が図られている。また、近時では、書面カルテに代えた電子カルテの利用導入も進展し、その医療処理の質的向上が図られている。
【０００３】
しかしながら、このような重要性が提案されるものの、近時の医療経済状況の悪化から高度な医療情報システム構築は進展していない。これは、多大な初期投資が必要であり、その後のシステム保守管理、バージョンアップ、電子データのバックアップ（長期的な保存）やメンテナンスにも多大な手間と費用を要するためである。換言すれば、システム規模や処理規模が大きい。例えば、特に、多種のアプリケーション搭載の多機能化（肥大化／Fat Client)によるバージョンアップなどの費用増加が大きい。また、このような高度医療情報システムを個々の病院に導入した場合、利用技術の習得が容易でないため病院ごとの効果的な活用に困難を伴うことも考えられる。
【０００４】
この多大な初期投資やシステム保守管理、バージョンアップ、電子データのバックアップ（長期的な保存）やメンテナンスのも多大な手間と費用を避けることが出来る「医療情報システム」を本願出願人が、現在未公開の特許願（2000-309419号及び2000-309420号）をもって提案した。この「医療情報システム」は、病院の高度医療情報システムの規模を縮小するために、通信ネットワーク化による多数の病院の高度医療情報処理を、そのＡＳＰ（Application Service Provider)による高度医療処理プログラム提供や、集中処理、データ保管等を通じて実施できるようになっている。このような通信ネットワーク上の医療情報システムに収集・保管されている患者データは、通信ネットワーク上で多数の病院の診療や治療時に取り込んで参照可能である。
【発明の開示】
【発明が解決しようとする課題】
【０００５】
しかしながら、所謂“プライバシー保護”の観点からすれば、患者データを通信ネットワーク上で、無制限に他の病院（受診経歴外の病院）やシステム事業者に公開するのは、好ましいものではない。即ち、上記従来例の医療情報システムにおいて、患者データの提供・取得を、無条件にシステム事業者或いは病院の自由に委ねることは、憲法上認められないようなプライバシー侵害となる事態を招きかねないという問題点がある。
【０００６】
他方で、患者に対する精神的、肉体的或いは経済的な負担を伴って記録された患者データを有効活用すべきという観点からは、患者本人が承諾するのであれば、複数の病院間において患者データの提供・取得を積極的に行うことが望ましいと考えられる。更に交通事故等で患者本人が意識不明である場合など、たとえ患者本人の承諾が無くても人命尊重の観点から、複数の病院間において患者データの提供・取得を迅速に行うことが望ましい場合も存在する。そしてプライバシーを保護しながらでは、このような患者本人の意思に基づく或いは人命尊重のための患者データの有効利用を図ることが実践上極めて困難であるという問題点がある。
【０００７】
本発明は上述した問題点に鑑みなされたものであり、通信ネットワーク上で収集・保管されている診療や治療に必要な患者データを、患者のプライバシー保護を図りながら、患者本人等の意思に基づいて或いは人命尊重のために有効利用することを可能ならしめる双方向通信ネットワークによる医療情報提供・取得システム及び方法、並びにコンピュータをそのようなシステムの少なくとも一部として機能させるコンピュータプログラムを提供することを課題とする。
【課題を解決するための手段】
【０００８】
本発明の第１の双方向通信ネットワークによる医療情報提供・取得システムは上記課題を解決するために、集中処理装置と複数の医療関連施設に夫々配置される施設処理装置との間で患者データを送受信する双方向通信ネットワークによる医療情報提供・取得システムであって、前記双方向通信ネットワークに収容されると共に前記複数の医療関連施設のうち一の医療関連施設に配置される前記施設処理装置は、記録された各患者の患者データのうち該各患者により登録が承諾された限定的な情報量のデータ部分をミニマムデータとして抽出して前記集中処理装置に転送する第１転送手段を備え、前記集中処理装置は、前記転送されてきたミニマムデータを前記各患者に対応付けて登録する登録手段を備え、前記複数の医療関連施設のうち前記一又は他の医療関連施設に配置される前記施設処理装置は、前記各患者のうち一の患者についての前記登録されたミニマムデータの転送を前記集中処理装置に要求する第１要求手段を備え、前記集中処理装置は、前記転送の要求を受け取ると、前記登録されたミニマムデータであって前記一の患者に係るものを検索して前記一又は他の医療関連施設に配置される施設処理装置に転送する第２転送手段を更に備え、前記一又は他の医療関連施設に配置される施設処理装置は、前記転送されてきたミニマムデータを参照可能に構成されている。
【０００９】
本発明の第１の双方向通信ネットワークによる医療情報提供・取得システムによれば、先ず、例えばインターネット等の双方向通信ネットワークに収容され、一の医療関連施設に配置される施設処理装置では、その第１転送手段によって、記録された各患者の患者データのうち該各患者により登録が承諾された限定的な情報量のデータ部分をミニマムデータとして抽出して、集中処理装置に転送する。
【００１０】
ここに本願における「ミニマムデータ」とは、一の患者にかかる全患者データのうち、患者属性データ、既往歴データ、入院・退院・手術等にかかるサマリ文書データ等の当該一の患者におけるその後の治療や診療において、実践上必要な或いは実践上有効なデータ部分をいう。そして、ミニマムデータの範囲は、最新の医療技術レベル、社会実情、プライバシー権の保護範囲などに応じて、適宜可変に設定可能である。また、ミニマムデータは、例えば個々の病院において通常の診療の際に患者データの一部として入力又は取得可能であり、或いはミニマムデータとして専用入力も可能である。尚、患者によるミニマムデータの登録の承諾は、ミニマムデータの抽出の際や入力の際に個別具体的に患者が承諾する場合の他、一般国民が従うべき法令、条例等を介して画一的に或いは契約等を介して個別的に患者が承諾する場合も含むとする。
【００１１】
このようなミニマムデータの転送に対し、集中処理装置は、例えば大型記憶装置等から構成される、その登録手段によって、転送されてきたミニマムデータを各患者に対応付けて登録する。
【００１２】
その後（例えば、同日、数日後、数週間後、数ヵ月後、数年後等に）、一の患者が、当該一又は他の医療関連施設で診療或いは治療を受けるに際し、当該一又は他の医療関連施設に配置される施設処理装置では、その第１要求手段によって、この一の患者についての登録手段に登録されたミニマムデータの転送を集中処理装置に要求する。これに対し、集中処理装置では、転送の要求を受け取ると、その第２転送手段によって、登録手段に登録されたミニマムデータであって、この一の患者に係るものを検索して、当該一又は他の医療関連施設に配置される施設処理装置に転送する。これを受けて、当該一又は他の医療関連施設に配置される施設処理装置では、転送されてきたミニマムデータを参照可能となる。
【００１３】
以上の結果、一定条件下で（例えば、後に患者本人が参照を承諾することや緊急・救急医療時であること等を条件として）双方向通信ネットワークを介しての参照を可能ならしめる形態でミニマムデータを集中処理装置に登録することを、当該患者が予め承諾しておけば、その後、当該患者のプライバシー保護を図りながら、患者本人等の意思に基づいて或いは人命尊重のために、このミニマムデータを有効利用することが可能となる。
【００１４】
本発明の第１の双方向通信ネットワークによる医療情報提供・取得システムの一態様では、前記第１転送手段は、前記記録された患者データのうち前記データ部分を前記ミニマムデータとして抽出するのに代えて、前記各患者により登録が承諾された限定的な情報量の患者データを前記ミニマムデータとして入力する。
【００１５】
この態様によれば、先ず施設処理装置では、その第１転送手段によって、各患者により登録が承諾された限定的な情報量の患者データをミニマムデータとして入力して、集中処理装置に転送する。従って、患者のプライバシー保護を図りながら、患者本人等の意思に基づいて或いは人命尊重のために、このミニマムデータを有効利用することが可能となる。
【００１６】
本発明の第２の双方向通信ネットワークによる医療情報提供・取得システムは上記課題を解決するために、集中処理装置と複数の医療関連施設に夫々配置される施設処理装置との間で患者データを送受信する双方向通信ネットワークによる医療情報提供・取得システムであって、前記双方向通信ネットワークに収容されると共に前記複数の医療関連施設のうち一の医療関連施設に配置される前記施設処理装置は、各患者により登録が承諾された患者データを前記集中処理装置に転送する第１転送手段を備え、前記集中処理装置は、前記転送されてきた患者データを前記各患者に対応付けて登録する登録手段を備え、前記複数の医療関連施設のうち前記一又は他の医療関連施設に配置される前記施設処理装置は、一の患者についての前記登録された患者データのうち該一の患者により参照が承諾された限定的な情報量のデータ部分からなるミニマムデータの転送を前記集中処理装置に要求する第１要求手段を備え、前記集中処理装置は、前記転送の要求を受け取ると、前記登録された患者データから前記一の患者に係るものを検索し且つ前記検索された患者データから前記ミニマムデータを抽出して前記一又は他の医療関連施設に配置される施設処理装置に転送する第２転送手段を更に備え、前記一又は他の医療関連施設に配置される施設処理装置は、前記転送されてきたミニマムデータを参照可能に構成されている。
【００１７】
本発明の第２の双方向通信ネットワークによる医療情報提供・取得システムによれば、先ず双方向通信ネットワークに収容され、一の医療関連施設に配置される施設処理装置では、その第１転送手段によって、各患者により登録が承諾された患者データを、集中処理装置に転送する。
【００１８】
このような患者データの転送に対し、集中処理装置は、その登録手段によって、転送されてきた患者データを各患者に対応付けて登録する。
【００１９】
その後、一の患者が当該一又は他の医療関連施設で診療或いは治療を受けるに際し、当該一又は他の医療関連施設に配置される施設処理装置では、その第１要求手段によって、この一の患者についての登録手段に登録された患者データのうち該一の患者により参照が承諾された限定的な情報量のデータ部分からなるミニマムデータの転送を集中処理装置に要求する。これに対し、集中処理装置では、転送の要求を受け取ると、その第２転送手段によって、登録された患者データから、この一の患者に係るものを検索し且つ検索された患者データからミニマムデータを抽出して、当該一又は他の医療関連施設に配置される施設処理装置に転送する。これを受けて、当該一又は他の医療関連施設に配置される施設処理装置では、転送されてきたミニマムデータを参照可能となる。
【００２０】
以上の結果、一定条件下で双方向通信ネットワークを介しての参照を可能ならしめる形態で患者データを集中処理装置に登録することを、当該患者が予め承諾しておけば、その後、当該患者のプライバシー保護を図りながら、患者本人等の意思に基づいて或いは人命尊重のために、ミニマムデータを有効利用することが可能となる。
【００２１】
本発明の第２の双方向通信ネットワークによる医療情報提供・取得システムの一態様では、前記登録手段は、前記転送されてきた患者データを登録するのに代えて、前記転送されてきた患者データのうち前記各患者により参照が承諾された限定的な情報量のデータ部分をミニマムデータとして登録し、前記第１要求手段は、前記登録された患者データのうち前記データ部分からなるミニマムデータの転送を要求するのに代えて、前記登録されたミニマムデータの転送を要求し、前記第２転送手段は、前記登録された患者データから前記一の患者に係るものを検索し且つ前記ミニマムデータを抽出するのに代えて、前記登録されたミニマムデータから前記一の患者に係るものを検索する。
【００２２】
この態様によれば、集中処理装置は、その登録手段によって、転送されてきた患者データのうち各患者により参照が承諾された限定的な情報量のデータ部分をミニマムデータとして各患者に対応付けて登録する。その後、一の患者が当該一又は他の医療関連施設で診療或いは治療を受けるに際し、当該一又は他の医療関連施設に配置される施設処理装置では、その第１要求手段によって、この一の患者についての登録されたミニマムデータの転送を集中処理装置に要求する。これに対し、集中処理装置では、転送の要求を受け取ると、その第２転送手段によって、登録されたミニマムデータから、この一の患者に係るものを検索し且つ当該一又は他の医療関連施設に配置される施設処理装置に転送する。従って、患者のプライバシー保護を図りながら、患者本人等の意思に基づいて或いは人命尊重のために、ミニマムデータを有効利用することが可能となる。
【００２３】
本発明の第１又は第２の双方向通信ネットワークによる医療情報提供・取得システムの他の態様では、前記第１要求手段は、前記一の患者により参照が承諾された旨を示す承諾情報を提示して要求し、前記第２転送手段は、前記承諾情報の提示を条件に前記ミニマムデータを転送する。
【００２４】
この態様によれば、施設処理装置では、第１要求手段によって、ミニマムデータの転送を要求するに際し、一の患者により参照が承諾された旨を示す承諾情報を提示して要求する。これに対し、集中処理装置では、第２転送手段によって、承諾情報の提示を条件にミニマムデータを転送する。従って、登録されたミニマムデータについて、実際に双方向通信ネットワークを介して参照する際に、患者が当該参照を承諾することを条件として、当該参照が実行可能となる。この結果、患者本人の自由意思に基づく公開とすることによって、患者データに係るプライバシー保護の問題を効果的に解決できる。
【００２５】
本発明の第１又は第２の双方向通信ネットワークによる医療情報提供・取得システムの他の態様では、前記登録手段は、前記患者により予め前記登録の承諾に加えて参照の承諾が得られている場合には該参照の承諾を示す承諾情報を前記ミニマムデータ又は前記患者データに付加して登録し、前記第２転送手段は、前記承諾情報が付加されたミニマムデータ又は患者データについては前記要求に応じて無条件に前記ミニマムデータを転送する。
【００２６】
この態様によれば、集中処理装置では、登録手段によって、患者により予めミニマムデータの“登録”の承諾に加えて、予めミニマムデータの“参照”の承諾が得られている場合には、該参照の承諾を示す承諾情報をミニマムデータ又は患者データに付加して登録しておく。その後、集中処理装置では、第２転送手段によって、承諾情報が付加されているミニマムデータ又は患者データについては、第１要求手段からの要求に応じて無条件にミニマムデータを転送する。従って、登録されたミニマムデータ又は患者データについて、患者が予め当該参照を承諾することを条件として、当該ミニマムデータの参照が実行可能となる。この結果、患者本人の自由意思に基づく公開とすることによって、患者データに係るプライバシー保護の問題を効果的に解決できる。特に、緊急・救急医療時等には、実際の治療や診療の際に患者本人が承諾すること自体が困難或いは不可能な場合もあるので、このように予め参照の承諾を示す承諾情報をミニマムデータ又は患者データに付加して登録しておくことは実践上大変有意義である。
【００２７】
本発明の第１又は第２の双方向通信ネットワークによる医療情報提供・取得システムの他の態様では、前記登録手段は、前記患者により予め前記登録の承諾に加えて参照の承諾が得られている場合には該参照の承諾を示す承諾情報を前記ミニマムデータ又は前記患者データに付加して登録し、前記第２転送手段は、前記承諾情報が付加されたミニマムデータ又は患者データについては、前記要求に応じて無条件に前記ミニマムデータを転送し、前記承諾情報が付加されていないミニマムデータ又は患者データについては、前記第１要求手段からの前記一の患者により参照が承諾された旨を示す承諾情報の提示を条件に前記ミニマムデータを転送する。
【００２８】
この態様によれば、集中処理装置では、登録手段によって、患者により予めミニマムデータの“登録”の承諾に加えて、予めミニマムデータの“参照”の承諾が得られている場合には、該参照の承諾を示す承諾情報をミニマムデータ又は患者データに付加して登録しておく。その後、集中処理装置では、第２転送手段によって、承諾情報が付加されているミニマムデータ又は患者データについては、第１要求手段からの要求に応じて無条件にミニマムデータを転送する。他方で、このような承諾情報が付加されていないミニマムデータ又は患者データについては、第１要求手段からの、この一の患者により参照が承諾された旨を示す承諾情報の提示を条件にミニマムデータを転送する。従って、登録されたミニマムデータ又は患者データについて、患者が予め或いは要求の際に当該参照を承諾することを条件として、当該ミニマムデータの参照が実行可能となる。
【００２９】
本発明の第１又は第２の双方向通信ネットワークによる医療情報提供・取得システムの他の態様では、前記第１要求手段は、緊急・救急医療時である旨を示す第１緊急時情報を提示して要求し、前記第２転送手段は、前記第１緊急時情報の提示を条件に前記ミニマムデータを転送する。
【００３０】
この態様によれば、交通事故等にあった一の患者が緊急・救急の診療或いは治療を受けるに際し、施設処理装置では、その第１要求手段によって、緊急・救急医療時である旨を示す第１緊急時情報を提示して要求する。より具体的には、例えば、担当医師が、医師識別コードや電子サイン等の責任の所在を明らかにする情報と共に、緊急・救急時である旨のコード情報からなる第１緊急時情報を発信する。これに対して、集中処理装置では、第２転送手段によって、第１緊急時情報の提示を条件にミニマムデータを転送する。従って、緊急・救急医療時には、実際の治療や診療の際に患者本人が承諾することが困難或いは不可能な場合もあるので、このように第１緊急時情報の提示を条件にミニマムデータを転送することは実践上大変有意義である。
【００３１】
尚、各患者は、緊急・救急時に限って患者自らの承諾無しでミニマムデータの参照を予め承諾するようにしてもよいし、緊急・救急時に限って患者と特定関連を有する者（家族等）の承諾を条件にミニマムデータの参照を予め承諾するようにしてもよい。
【００３２】
本発明の第１又は第２の双方向通信ネットワークによる医療情報提供・取得システムの他の態様では、前記登録手段は、前記患者により予め前記登録の承諾に加えて参照の承諾が得られている場合には該参照の承諾を示す承諾情報を前記ミニマムデータ又は前記患者データに付加して登録し、前記第２転送手段は、前記承諾情報が付加されたミニマムデータ又は患者データについては、前記要求に応じて無条件に前記ミニマムデータを転送し、前記承諾情報が付加されていないミニマムデータ又は患者データについては、前記第１要求手段からの緊急・救急時である旨を示す第１緊急時情報の提示を条件に前記ミニマムデータを転送する。
【００３３】
この態様によれば、集中処理装置では、登録手段によって、患者により予めミニマムデータの“登録”の承諾に加えて、予めミニマムデータの“参照”の承諾が得られている場合には、該参照の承諾を示す承諾情報をミニマムデータ又は患者データに付加して登録しておく。その後、集中処理装置では、第２転送手段によって、承諾情報が付加されているミニマムデータ又は患者データについては、第１要求手段からの要求に応じて無条件にミニマムデータを転送する。他方で、このような承諾情報が付加されていないミニマムデータ又は患者データについては、第１要求手段からの緊急・救急時である旨を示す第１緊急時情報の提示を条件にミニマムデータを転送する。従って、登録されたミニマムデータ又は患者データについて、患者が予め当該参照を承諾すること或いは医師等が緊急・救急時とすることを条件として、当該ミニマムデータの参照が実行可能となる。
【００３４】
本発明の第１又は第２の双方向通信ネットワークによる医療情報提供・取得システムの他の態様では、前記ミニマムデータの情報量は、前記患者の承諾レベルに応じて可変に設定される。
【００３５】
この態様によれば、患者の承諾レベルに応じて、その情報量やデータ内容・種類等が可変に設定されたミニマムデータを、登録手段に登録したり、第２転送手段から転送したりできるので、ミニマムデータの用途に柔軟性や発展性を持たせることが可能となる。
【００３６】
この態様では、前記一又は他の医療関連施設に設置される施設処理装置は、予め設定された複数種類のテンプレートの中から一つを選択可能であり、更に該選択された一つのテンプレート上で、前記患者データを項目毎に前記患者の承諾レベルを示すデータに対応付けて入力可能なテンプレート入力手段を更に備えてもよい。
【００３７】
このように構成すれば、予め用意された複数のテンプレート（データ入力用定型フォーム）のうち、当該患者に見合ったものを選択することにより、適切な患者データを迅速に入力することができ、更にこれに紐付けた形で患者の承諾レベルを示すデータを容易に入力できる。
【００３８】
本発明の第１又は第２の双方向通信ネットワークによる医療情報提供・取得システムの他の態様では、前記一又は他の医療関連施設に設置される施設処理装置は、予め設定された複数種類のテンプレートの中から一つを選択可能であり、更に該選択された一つのテンプレート上で、前記患者データを項目毎に入力可能なテンプレート入力手段を更に備える。
【００３９】
この態様によれば、予め用意された複数のテンプレート（定型入力フォーム）のうち、当該患者に見合ったものを選択することにより、適切な患者データを迅速に入力することができる。
【００４０】
本発明の第１又は第２の双方向通信ネットワークによる医療情報提供・取得システムの他の態様では、前記一又は他の医療関連施設に設置される施設処理装置は、前記ミニマムデータでは治療或いは診療のために不足の場合に、前記集中処理装置を介して前記一の医療関連施設に設置される施設処理装置に、前記ミニマムデータ以外の患者データの転送を要求する第２要求手段を更に含む。
【００４１】
この態様によれば、一の患者が診療或いは治療を受けるに際し、その診療や治療を実際に行う医療関連施設において、ミニマムデータだけでは治療或いは診療のために不足の場合に、当該医療関連施設に配置される施設処理装置では、その第２要求手段によって、集中処理装置を介して、患者データの転送元である一の医療関連施設に設置される施設処理装置に対して、ミニマムデータ以外の患者データ（例えば、ミニマムデータと比べて、より詳細な各種患者データ）の転送を要求する。従って、特に緊急・救急時等であっても、受診経歴のある医療機関から、より詳細な患者データを取得できるようになって、この取得した患者データを参照した上で、より的確な診療と治療を実行可能となる。
【００４２】
この第２要求手段を備えた態様では、前記第２要求手段は、前記ミニマムデータ以外の患者データの転送を、前記一又は他の医療関連施設に配置される施設処理装置からの医療関連施設特定用の情報（例えば、病院を特定する病院情報）に基づいて特定された前記一の医療関連施設に配置される施設処理装置に対して要求するように構成してもよい。
【００４３】
このように構成すれば、患者データの転送元である施設処理装置を医療関連施設特定用の情報に基づいて特定することで、迅速にしてミニマムデータ以外の患者データの転送を要求可能となる。
【００４４】
或いは、この第２要求手段を備えた態様では、前記第２要求手段は、前記ミニマムデータ以外の患者データの転送を、前記集中処理装置が前記一の患者の受診履歴を参照することにより特定された前記一の医療関連施設に配置される施設処理装置に対して要求するように構成してもよい。
【００４５】
このように構成すれば、患者データの転送元である施設処理装置を、その患者の受診履歴を参照して特定することで、迅速にしてミニマムデータ以外の患者データの転送を要求可能となる。
【００４６】
この第２要求手段を備えた態様では、前記第２要求手段は、前記ミニマムデータ以外の患者データの転送の要求を、電子メール又はファクシミリ伝送を含む自動転送で実行するように構成してもよい。
【００４７】
このように構成すれば、電子メール又はファクシミリ伝送を含む自動転送を用いて、迅速にしてミニマムデータ以外の患者データの転送を要求可能となる。
【００４８】
この第２要求手段を備えた態様では、前記第２要求手段は、緊急・救急医療時である旨を示す第２緊急時情報を提示して要求し、前記第２転送手段は、前記第２緊急時情報の提示を条件に前記ミニマムデータ以外の患者データを転送するように構成してもよい。
【００４９】
このように構成すれば、交通事故等にあった一の患者が緊急・救急の診療或いは治療を受けるに際し、施設処理装置では、その第２要求手段によって、緊急・救急医療時である旨を示す第２緊急時情報を提示して要求する。これに対して、集中処理装置では、第２転送手段によって、第２緊急時情報の提示を条件に、ミニマムデータ以外の患者データを転送する。従って、緊急・救急医療時には、実際の治療や診療の際に患者本人が承諾することが困難或いは不可能な場合もあるので、このように第２緊急時情報の提示を条件にミニマムデータ以外の患者データを転送することは実践上大変有意義である。
【００５０】
尚、各患者は、緊急・救急時に限って患者自らの承諾無しで、ミニマムデータ以外の患者データの参照を予め承諾するようにしてもよいし、緊急・救急時に限って患者と特定関連を有する者（家族等）の承諾を条件に、ミニマムデータ以外の患者データの参照を予め承諾するようにしてもよい。
【００５１】
本発明の第１又は第２の双方向通信ネットワークによる医療情報提供・取得システムの他の態様では、前記登録手段は、前記ミニマムデータ又は前記患者データの少なくとも一部の転送が要求された際に(i)無条件に参照可能とするか(ii)前記一の患者により参照が承諾された旨を示す承諾情報の提示を条件に参照可能とするか若しくは(iii)緊急・救急医療時である旨を示す緊急時情報の提示を条件に参照可能とするか、を示す参照可能条件情報を、予め前記患者データに対応付けて登録し、前記第２転送手段は、前記登録手段に登録された参照可能条件情報が示す条件で、前記ミニマムデータ又は前記患者データの少なくとも一部を転送する。
【００５２】
この態様によれば、各患者の意向に沿う参照可能条件を予め登録手段によって登録しておけば、その後、第２転送手段によって、この参照可能条件で（即ち、無条件に、若しくは承諾情報の提示又は緊急時情報の提示を条件に）、ミニマムデータや患者データの少なくとも一部を転送可能となり、患者のプライバシーの保護を木目細かく効果的に図ることができる。
【００５３】
本発明の第１又は第２の双方向通信ネットワークによる医療情報提供・取得システムの他の態様では、前記登録手段は、前記ミニマムデータ又は前記患者データの少なくとも一部の転送が要求された際に(i)無条件に参照可能とする患者データ範囲(ii)前記一の患者により参照が承諾された旨を示す承諾情報の提示を条件に参照可能とする患者データ範囲若しくは(iii)緊急・救急医療時である旨を示す緊急時情報の提示を条件に参照可能とする患者データ範囲を示す参照可能範囲情報を、予め前記患者データに対応付けて登録し、前記第２転送手段は、前記登録手段に登録された参照可能範囲情報が示す患者データ範囲で、前記ミニマムデータ又は前記患者データの少なくとも一部を転送する。
【００５４】
この態様によれば、各患者の意向に沿う参照可能範囲を条件別に予め登録手段によって登録しておけば、その後、第２転送手段によって、この参照可能範囲で、ミニマムデータや患者データの少なくとも一部を転送可能となり、患者のプライバシーの保護を木目細かく効果的に図ることができる。
【００５５】
本発明の第１の双方向通信ネットワークによる医療情報提供・取得方法は上記課題を解決するために、集中処理装置と複数の医療関連施設に夫々配置される施設処理装置との間で患者データを送受信する双方向通信ネットワークによる医療情報提供・取得方法であって、前記双方向通信ネットワークに収容されると共に前記複数の医療関連施設のうち一の医療関連施設に配置される前記施設処理装置によって、記録された各患者の患者データのうち該各患者により登録が承諾された限定的な情報量のデータ部分をミニマムデータとして抽出して前記集中処理装置に転送する第１転送工程と、前記集中処理装置によって、前記転送されてきたミニマムデータを前記各患者に対応付けて登録する登録工程と、その後、前記複数の医療関連施設のうち前記一又は他の医療関連施設に配置される前記施設処理装置によって、前記各患者のうち一の患者についての前記登録されたミニマムデータの転送を前記集中処理装置に要求する第１要求工程と、該転送の要求を受け取った前記集中処理装置によって、前記登録されたミニマムデータであって前記一の患者に係るものを検索して前記一又は他の医療関連施設に配置される施設処理装置に転送する第２転送工程とを含み、前記一又は他の医療関連施設に配置される施設処理装置は、前記転送されてきたミニマムデータを参照可能に構成されている。
【００５６】
本発明の第１の双方向通信ネットワークによる医療情報提供・取得方法によれば、上述した本発明の第１の双方向通信ネットワークによる医療情報提供・取得システムの場合と同様に、一定条件下で双方向通信ネットワークを介しての参照を可能ならしめる形態でミニマムデータを集中処理装置に登録することを、当該患者が予め承諾しておけば、その後、当該患者のプライバシー保護を図りながら、患者本人等の意思に基づいて或いは人命尊重のために、このミニマムデータを有効利用することが可能となる。
【００５７】
尚、本発明の第１の双方向通信ネットワークによる医療情報提供・取得方法は、上述した本発明の第１の双方向通信ネットワークによる医療情報提供・取得システムにおける各種態様と同様の各種態様とすることも可能である。
【００５８】
本発明の第２の双方向通信ネットワークによる医療情報提供・取得方法は上記課題を解決するために、集中処理装置と複数の医療関連施設に夫々配置される施設処理装置との間で患者データを送受信する双方向通信ネットワークによる医療情報提供・取得方法であって、前記双方向通信ネットワークに収容されると共に前記複数の医療関連施設のうち一の医療関連施設に配置される前記施設処理装置によって、各患者により登録が承諾された患者データを前記集中処理装置に転送する第１転送工程と、前記集中処理装置によって、前記転送されてきた患者データを前記各患者に対応付けて登録する登録工程と、その後、前記複数の医療関連施設のうち前記一又は他の医療関連施設に配置される前記施設処理装置によって、一の患者についての前記登録された患者データのうち該一の患者により参照が承諾された限定的な情報量のデータ部分からなるミニマムデータの転送を前記集中処理装置に要求する第１要求工程と、該転送の要求を受け取った前記集中処理装置によって、前記登録された患者データから前記一の患者に係るものを検索し且つ前記検索された患者データから前記ミニマムデータを抽出して前記一又は他の医療関連施設に配置される施設処理装置に転送する第２転送工程とを含み、前記一又は他の医療関連施設に配置される施設処理装置は、前記転送されてきたミニマムデータを参照可能に構成されている。
【００５９】
本発明の第２の双方向通信ネットワークによる医療情報提供・取得方法によれば、上述した本発明の第２の双方向通信ネットワークによる医療情報提供・取得システムの場合と同様に、一定条件下で双方向通信ネットワークを介しての参照を可能ならしめる形態で患者データを集中処理装置に登録することを、当該患者が予め承諾しておけば、その後、当該患者のプライバシー保護を図りながら、患者本人等の意思に基づいて或いは人命尊重のために、ミニマムデータを有効利用することが可能となる。
【００６０】
尚、本発明の第２の双方向通信ネットワークによる医療情報提供・取得方法は、上述した本発明の第２の双方向通信ネットワークによる医療情報提供・取得システムにおける各種態様と同様の各種態様とすることも可能である。
【００６１】
本発明のコンピュータプログラムは上記課題を解決するために、コンピュータを、上述した本発明の第１又は第２の双方向通信ネットワークによる医療情報提供・取得システム（但し、その各種態様も含む）に備えられた前記集中処理装置及び前記施設処理装置のうち少なくとも一方として機能させる。
【００６２】
本発明のコンピュータプログラムによれば、上述した本発明の第１又は第２の双方向通信ネットワークによる医療情報提供・取得システムに備えられた集中処理装置及び施設処理装置のうち少なくとも一方を、情報記録媒体の格納プログラムや通信ネットワークを通じたダウンロード／インストールによるプログラムで実行可能になる。より具体的には、当該コンピュータプログラムによって、コンピュータを、施設処理装置を構成する第１転送手段、第１要求手段、第２要求手段等として夫々機能させたり、コンピュータを集中処理装置における登録手段、第２転送手段等として夫々機能させたりできる。例えば、情報記録媒体によるパーケージソフトウェアや、通信ネットワークを通じたダウンロード／インストールによるシェアウエアとして流通させることが可能になり、本発明の汎用性が向上する。換言すれば、実施が容易かつ確実に出来るようになる。
【００６３】
本発明のこのような作用及び他の利得は次に説明する実施の形態から明らかにされよう。
【発明の効果】
【００６４】
以上詳細に説明したように本発明によれば、通信ネットワーク上で収集・保管されている診療や治療に有用なミニマムデータを、プライバシー保護を図りつつ参照できるようになって、特に、緊急・救急時の患者への的確な診療と治療に対応可能になるという効果がある。更に、このようなミニマムデータでは、その患者の診療や治療に不足である場合に、システムの運営側や、受診経歴のある医療機関から、詳細患者データを取得できるようになって、その効果的な診療と治療が可能なるという効果がある。
【発明を実施するための最良の形態】
【００６５】
次に、本発明の双方向通信ネットワークによる医療情報提供・取得システム及び方法、並びにコンピュータをそのようなシステムとして機能させるコンピュータプログラムの実施形態を図面参照の上で詳細に説明する。
【００６６】
（１）実施形態の構成
先ず、図１から図４を参照して本発明の実施形態における双方向通信ネットワークの構成について説明する。
【００６７】
図１は本発明の実施形態における双方向通信ネットワーク構成を示すブロック
図である。
【００６８】
図１において、この例の双方向通信ネットワークは、例えば、マルチメディア通信ネットワークであり、各種の通信プロトコル変換用のゲートウェイ（ＧＷ）装置で接続されたデジタル固定通信回線網１及びデジタル移動通信網２（この二つの通信網をまとめて、適宜、「通信回線網」と記載）を有している。
【００６９】
デジタル固定通信回線網１には、「集中処理装置」の一例としての医療情報集中処理センタ通信装置３と、夫々「施設処理装置」の一例としての複数の医療機関通信装置４と、患者が使用する通信端末５（小型汎用コンピュータ５ａ）とが接続されている。また、デジタル移動通信網２のセル基地局２ａには、無線区間（エアーインタフェース）を通じて、患者が使用する通信端末５（インターネットアクセスが可能な携帯電話機５ｂ）が収容されている。
【００７０】
医療情報集中処理センタ通信装置３は、医療機関処理共用通信システム３ａと医療機関データ集中処理通信システム３ｂとから構成されている。
【００７１】
医療機関通信装置４は、比較的大規模な医療施設に設置される医療機関通信システム４ａと、比較的小規模な医療施設に設置される医療機関小型汎用コンピュータ４ｂとから構成されている。なお、医療機関通信システム４ａには、以降で説明する医療機関処理共用通信システム４ｃを併設することがある。
【００７２】
図２は医療情報集中処理センタ通信装置３における医療機関処理共用通信システム３ａの構成例を示すブロック図である。
【００７３】
図２において、この例の医療機関処理共用通信システム３ａは、ＩＳＤＮ（デジタル固定通信網１）に接続するための回線接続装置１０（例えば、ハブ装置、デジタル終端接続装置（ＤＳＵ）、侵入防止用のファイアウォールアプリケーションを実装した図示しないルータなど）、インターネット上で基幹的な通信処理を実行するための主コンピュータであるウェブサーバ１１、分散名前管理システム（ＤＮＳ:Domain Name System）用のＤＮＳサーバ１２、顧客医療データの暗号化転送を行う暗号化通信プロトコル（ＳＳＬ:Secure Sockets Layer）用のＳＳＬサーバ１３、ＦＴＰ(File Transfer Protocol)ファイル転送用のＦＴＰサーバ１４、通信制御を実行する通信制御装置１５、各種のデータを格納し、その検索（トラッキング）を実行するデータベース装置１６、及び外部ＬＡＮを収容するためのインタフェース（Ｉ／Ｆ）部１７を備えて構成されている。
【００７４】
なお、この例の医療機関処理共用通信システム３ａには、プログラムをＣＤ−ＲＯＭから読み出して通信制御装置１５などの必要な各部にインストールするための図示しないドライブ装置、データベース管理などの保守を行うための単体の小型汎用コンピュータなどが設けられる。
【００７５】
外部ＬＡＮは、図示しないＬＡＮサーバによって小型汎用コンピュータを、例えば、ＲＰＣ(Remote Procedure Call遠隔呼び出し）の各シーケンスで実行するものであり、クライアントサーバシステム（マスタースレーブ方式）として構築されるものである。
【００７６】
図３は医療情報集中処理通信センタ装置３における医療機関データ集中処理通信システム３ｂの構成例を示すブロック図である。
【００７７】
この例の医療機関データ集中処理通信システム３ｂは、図２に示す医療機関処理共用通信システム３ａと同様の、回線接続装置１０から通信制御装置１５までを備えて構成されていると共に、多数の医療機関の医療情報を処理し、かつ、トラッキングによる検索処理を実行するデータベース装置１８と、保守作業用の保守ターミナル１９とを更に備えている。
【００７８】
図４は医療機関通信装置４における医療機関通信システム４ａの構成例を示すブロック図である。
【００７９】
図４において、この例の医療機関通信システム４ａは、医療機関における各種の医療情報処理（患者データ、医療事務、医療画像等）を実行するものであり、通信回線網との接続（インターネットアクセス）を行うウェブサーバ２５に、遠隔呼び出し（ＲＰＣ）方式を実行するＬＡＮサーバ２６と、各種の端末（小型汎用コンピュータ、プリンタ、スキャナ）とを収容した構成である。
【００８０】
なお、前記した各小型汎用コンピュータは、その構成が既知である。例えば、接続装置、マイクロコンピュータ、フラッシュメモリ、情報記録媒体用ドライブ装置、モニタ装置、入力操作装置、ハードデスク装置、各種の外部装置、例えば、デジタルカメラからの画像データを取り込むＳＣＳＩ(Small Computer System Interface) インタフェース、ＵＳＢ(Universal Serial Bus)インタフェースなどを備えた構成である。
【００８１】
また、図１に示す携帯電話機５ｂは、ＰＤＣ方式、ＰＨＳ方式として、その構成は既知である。例えば、周波数切替器・シンセサイザ、受信電界強度（ＲＳＳＩ）検出部を備えた無線送受信部、変調／復調部、時分割／拡散多重分離部、コーデック（符号化／復号化）部、マイクロプロセッサ（ＭＰＵ）、外部インタフェース（Ｉ／Ｆ）部、メモリ、キーパッド及び着信表示発光ダイオードや液晶デスプレイなどの表示部、及び送話用マイクロホンと受話用スピーカ、撮像部などを備えた構成である。
【００８２】
また、図１の通信ネットワークは、マルチメディアのストリーム伝送を行うための編集サーバ（携帯電話機５ｂへの転送データ編集用）、ＶｏＩＰ（Voice over Internet Protocol)ゲートウェイ装置などについては、その図示を省略した。図１の各装置は、以降で詳細に説明する通信アプリケーションプログラム（例えば、ＡＳＰによるプログラム転送（転送及びダウンロード／インストール）のためのユーテリティソフトウェアを搭載したウェブブラウザやメーラーアプリケーションを搭載している。
【００８３】
（２）実施形態における基本通信動作
次に、図１を参照して、本実施形態の構成における基本的な通信動作について説明する。
【００８４】
近時の通信回線網は、ＴＣＰ／ＩＰ環境下（例えば、インターネット）の、いわゆる、マルチメディア通信ネットワークとして構築され、ＩＰパケットデータ通信とともに、ＩＴＵ−Ｔ(international Telecommunication Union - Telecommunication Standardization Sector)／Ｇ３規格のファクシミリ通信やインターネットＦａｘ通信及び、汎用電話通話やＶｏＩＰ／ＩＴＵ−Ｔ／Ｈ．３２３プロトコル）による音声電話通信を実行している。
【００８５】
デジタル固定通信網１は、その構成及び伝送方式が既知のＩＳＤＮなどを用いたＩＰ網であり、パケット交換局などを回線網に設置した網構成である。また、デジタル移動通信網２は、例えば、ＡＲＩＢ−２７／２８規格（ＰＤＣ方式／ＰＨＳ方式）を適用し、かつ、セル基地局２ａを図示しない移動通信制御局（ＭＣＣ）が収容する既知の移動回線網である。この移動回線網は、ＴＩＡ標準ＩＳ９５系／ＩＭＴ−２０００のＮ／Ｗ−ＣＤＭＡ方式でも良く特に限定しない。
【００８６】
例えば、伝送速度６４，３８４ｋｂｉｔ／ｓ，１．５Ｍｂｉｔ／ｓによるＩＰパケットを伝送し、ＩＴＵ−Ｔ勧告によるパケット交換手順Ｘ．３１（Ｉ．４３０／Ｉ．４３１，Ｑ．９２１／Ｑ．９３１，Ｘ．２５プロトコル）を実行する。
【００８７】
なお、他の高速伝送方式（例えば、ＡＤＳＬ／非対象デジタル伝送）を適用しても良く、また、高速通信ネットワーク（例えば、ギガビット高速データ通信ネットワーク）を利用しても良い。特に、ギガビット高速データ通信ネットワークの採用は、転送データ量が多い医療画像の３次元シミュレーションをコンピュータ双方向通信で実行する場合などに有効である。
【００８８】
また、図１の各装置は、インターネット通信として周知のＴＣＰ／ＩＰによる通信接続処理、ＨＴＭＬ(HyperText Markup Language) による言語処理機能（文章、音声、データ圧縮によるＪＰＥＧ静止画又はＭＰＥＧ動画処理）、及びＨＴＴＰ(Hypertext Transport Protocol)によるハイパーリンク機能による転送双方向通信、ＦＴＰによるファイル転送、及びＣＧＩ(Common Gateway Interface)による外部アプリケーションをそれぞれに実行する。このための電子メール通信やインターネットサーフィンを行うウェブブラウザ（アプリケーション)を各装置が搭載している。
【００８９】
なお、データベース装置におけるデータベースエンジン（トラッキング）で読み出されるデータは、例えば、ＸＭＬ(Extensible Markup Language)によりＣＤＦ（プッシュ型情報配信のフォーマット）によって発信するデータを生成し、また、ＳＱＬ(Structured Query Language) によってリレーショナルデータベース処理を実行している。
【００９０】
さらに、医療情報の（コンテンツ）の写真やイラストをデータ処理するための、ビットマップ画像ファイルを保存する、例えば、ＴＩＦＦ(Tagged Image File Format)とともに、機種や使用フォントに関わらず作成時のイメージを保った変換が可能な、例えば、ＰＤＦ(Portable Document Format)ファイルによって高微細画像データを生成かつ処理している。また、動的なホームページをＡＳＰ(Active Server Pages)を通じて作成している。
【００９１】
このような各装置は、ＴＣＰ／ＩＰリンクによって、周知のＩＰパケットによるファイル転送を双方向通信で行っている。この通信ネットワークにおけるインターネット上での転送処理は、ＨＴＴＰにおけるオブジェクト指示（クリック／マウスなどの座標入力装置によるラジオボタン、アンカー、プッシュボタン等への指示）によって実行する。この場合、ファイルフォーマットにＴＣＰコネクションの開放の伝送終了記述文字（ＦＩＮ）や伝送肯定応答文字（ＡＣＫ）などを格納し、その識別によってファイル転送を実行する。
【００９２】
なお、携帯電話機５ｂでは、セル基地局２ａのサービスエリア内に携帯電話機３が移動すると、制御チャネル（ＣＣＨ）をスキャンしてモニタし、最大受信電界強度の制御チャネルを補足する。この位置登録後は、周知の発呼（発信）又は着呼（着信）に対する通信シーケンス（ここでは、インターネットアクセス）が実行される。
【００９３】
図１に示す各装置は、ＣＰＵ（ウェブサーバのＣＰＵも含む）が実行する通信プロトコルやプログラムによって、本実施形態における各種処理を実行する。この通信プロトコルやプログラムは、前記した汎用の通信プロトコルやプログラムとともに、医療情報処理を実行するための専用の通信プロトコルや、特に医療情報提供・取得システム構築用のコンピュータプログラムを実行する。
【００９４】
（３）実施形態における集中医療情報処理
次に、図１から図４の各部における集中医療情報処理について説明する。
【００９５】
医療情報集中処理通信センタ装置３は、従来、個々の病院ごとに処理されていた各種の医療情報処理をインターネット（通信回線網）上で、その双方向通信によって代行するものである。医療情報集中処理通信センタ装置３の医療機関処理共用通信システム３ａは、病院ごとの医療機関通信装置４による日常の診療処理を管理するものである。
【００９６】
この診療処理の管理は、例えば、電子カルテ作成処理（定型化フォーマット／テンプレート）、レントゲン画像データ生成、診療報酬（レセプト）自動計算（処理医事会計システム）処理、検査依頼、薬剤処方依頼をデータ転送する検査依頼（オーダ）システムや薬局システムなどの処理（オーダシステム）を行うものである。この各種の処理を行うためのプログラムは、医療機関処理共用通信システム３ａに予め格納して転送し、また、通信ネットワーク上のソフトハウスやＡＳＰ事業者のなどのウェブサイトから取り込み、かつ、回線接続（リンク）によって医療機関通信装置４に転送する。すなわち、最新の電子カルテ作成用定型化フォーマットなどの高度医療処理プログラム提供を実施するＡＳＰ事業（ビジネスモデル）である。なお、定型化フォ−マット／テンプレートは大学の医療機関などのウェブサイトと回線接続（リンク）によって医療情報集中処理通信センタ装置３から医療機関通信装置４に提供するようにも出来る。
【００９７】
転送される医療処理プログラム（定型化フォ−マット／テンプレートも含む）は、医療機関通信装置４で取り込まれるが、図４に示す医療機関通信システム４ａでは、ＬＡＮサーバ２６に常駐させることが可能である。また、一定期間のみ常駐させたり、この電子カルテ作成用定型化フォーマットによる書面作成ごとに取り込むことになる。なお、この書面作成が終了した場合は、この全部の情報を医療情報集中処理通信センタ装置３に自動又はバッチ処理を通じて転送して、医療機関データ集中処理通信システム３ｂで順次格納する。
【００９８】
また、比較的小規模の病院に配置される医療機関小型汎用コンピュータ４ｂでは、処理開始ごとに、そのプログラムを医療機関処理共用通信システム３ａからダウンロード／インストールして使用し、書面作成が終了した場合は、この全部の情報を医療情報集中処理通信センタ装置３に自動又はバッチ処理を通じて転送するとともに、プログラムを開放する。換言すれば、クライアント・サーバシステムと同様の動作を実行する。
【００９９】
なお、医療機関処理共用通信システム３ａは、図１に示すように医療機関処理共用通信システム４ｃとして病院に配置される場合がある。これは、複数の病院の医療機関通信システム４ａを、この医療法人の本部などで管理する場合である。
【０１００】
医療情報集中処理通信センタ装置３の医療機関データ集中処理通信システム３ｂは、医療機関処理共用通信システム３ａで処理された医療情報を抽出して格納し、各種の処理に利用している。例えば、前記した電子カルテ作成処理（定型化フォーマット／テンプレート）、レントゲン画像データ生成、診療報酬（レセプト）自動計算（処理医事会計システム）処理、検査依頼、薬剤処方依頼をデータ転送する検査依頼（オーダ）システムや薬局システムなどの処理（オーダシステム）などのデータを病院ごとに図３中のデータベース装置１８に格納し、この後、医療機関通信装置４が随時読み出して参照している。
【０１０１】
また、医療情報集中処理通信センタ装置３では、メールボックス処理、予約処理、ミニマムデータ処理（以降の図５から図１０をもって詳細に説明する）、及び統計情報処理を病院側（医療機関通信装置４）に提供している。
【０１０２】
メールボックス処理は、病院（医療機関通信装置４）間でのデータ転送を行うものである。例えば、患者紹介状、検査結果資料、レポート、処方履歴等である。このデータ転送は、例えば、図２中のデータベース装置１６などの処理によるモジュールによってデータ転送を実行する。予約処理は、図２中のデータベース装置１６などの処理によるモジュールを通じた診療予約、検査予約などの情報であり、病院が他の病院に開放している予約にかかる情報を保持し、病院側（医療機関通信装置４）からの閲覧が可能なっている。これは、例えば、患者の状態（病気）に専門に対応できる病院からの連絡を受けるためなどに利用される。
【０１０３】
ミニマムデータ処理は、緊急、救急、災害時などに病院等に収容される、緊急・救急患者等に対する治療や診療に実践的な意味で最低限必要な患者データ部分たるミニマムデータを、図３中のデータベース装置１８などに格納し、多数の病院側（医療機関通信装置４）が必要に応じて（例えば、緊急・救急患者が運び込まれた場合など）閲覧するものである。
【０１０４】
このミニマムデータは、患者ごとの電子カルテ作成時に、そのデータから必要事項を医療機関処理共用通信システム３ａから医療機関データ集中処理通信システム３ｂが取り込んでデータベース装置１８が、その更新・追加を行う。
【０１０５】
尚、このミニマムデータは、電子カルテ作成とは別に、ミニマムデータの専用入力操作によって、患者が直接又は医師等が、通信端末５、医療機関通信装置４を介して入力してもよい。更に、このミニマムデータは、医療情報集中処理センタ通信装置３に対して医療機関通信装置４から、ミニマムデータの転送が要求された際に、データベース装置１８に格納された患者データの中から抽出して作成してもよい。更にまた、このミニマムデータは、医療情報集中処理センタ通信装置３に対して医療機関通信装置４から患者データが転送されてきた際に、この患者データ中から抽出する形でデータベース装置１８内に作成してもよい。そして、このようなミニマムデータを構成する情報内容の種類や情報量は、全ての患者について固定してもよいし可変としてもよく、更に各患者について適宜可変としてもよい。
【０１０６】
統計情報処理は、患者を特定しない分析データを処理するものである。この統計情報処理は、例えば、医療機関処理共用通信システム３ａから提供されるプログラム（定型化フォーマット／テンプレート）によって作成され、医療機関データ集中処理通信システム３ｂが取り込んでデータベース装置１８に格納される。統計情報は、作成した病院側（医療機関通信装置４）が取り込んで参照したり、他の病院に公開（例えば、医療情報集中処理通信センタ装置３のホームページ閲覧により公開）される。
【０１０７】
次に、医療情報集中処理通信センタ装置３は、患者側（通信端末５）も利用が可能である。この患者側（通信端末５）の利用としては、患者個人の各種のデータ（前記した電子カルテ、レントゲン画像データ、診療報酬（レセプト）、検査依頼、薬剤処方依頼などの情報）がある。この情報閲覧は、患者個人や公共機関（例えば、感染疾病などの調査）などの秘匿性を有するものである。したがって、この情報閲覧は、識別符号（ＩＤ）、パスワードを予め付与し、そのアクセスを通じて閲覧（開示）が行われる。
【０１０８】
なお、医療情報集中処理通信センタ装置３への医療機関通信装置４からは、一般公開するホームページのコンテンツ（統計情報）を除いて、会員制などにおけるアクセスも識別符号（ＩＤ）及びパスワードを通じて実行される。
【０１０９】
このように医療情報集中処理通信センタ装置３から医療機関通信装置４に各種の処理用プログラムを転送している。すなわち、ＡＳＰによる高度医療処理プログラム提供や、集中処理、データ保管等を通じて実施している。この結果、病院ごとの医療機関通信装置４のシステム規模及び処理規模を削減している。特に、費用が嵩む最新の高度な医療情報システムを構築かつ運営する必要が無くなる。換言すれば、最新のバージョンアッププログラム化による医療情報処理が、常に可能になって、多種のアプリケーション搭載の多機能化（肥大化／Fat Client)によるバージョンアップなどの費用削減が図られる。
【０１１０】
また、定型化フォーマット／テンプレート化による処理を転送プログラムで実行できるようになり、その医療情報処理が容易に行われる。さらに、処理データを医療情報集中処理通信センタ装置３で保管できるようになって、その長期間にわたる膨大なデータ保管を病院側（医療機関通信装置４）で行わなくて良くなり、その費用削減や、データ保管の信頼性保持のシステム監査などが容易になる。また、医療機関との提携や、医療法人傘下の複数の病院での情報活用、及び病院間での情報交換なども容易に可能になる。
【０１１１】
（４）ミニマムデータ、必要患者データ及び詳細患者データの転送処理
次に、以上の構成動作に基づいた本実施形態における、ミニマムデータ及び必要患者データの転送処理並びに詳細患者データの転送処理について図５から図１０を参照して説明する。
【０１１２】
ここに「ミニマムデータの転送処理」とは、通信ネットワーク上の医療情報集中処理通信センタ装置３に収集・保管されている診療や治療に必要なミニマムデータを、プライバシー保護を図りつつ参照可能とする処理である。
【０１１３】
一方、「必要患者データの転送処理」とは、通信ネットワーク上の医療情報集中処理通信センタ装置３に収集・保管されている診療や治療に必要な患者データのうち、実際の診療や治療に直面した場合であって特に患者の承諾が得られない場合に必要であり、ミニマムデータよりも情報量の少ない又は多い、ミニマムデータ以外の患者データを含むデータ（以下、「必要患者データ」と称する）を、プライバシー保護を図りつつ参照可能とする処理である。特に、患者が意識不明など緊急・救急時の患者への的確な診療と治療に対応可能にしている。
【０１１４】
他方、「詳細患者データの転送処理」とは、通信ネットワーク上の医療情報集中処理通信センタ装置３に収集・保管されているミニマムデータでは、その診療と治療に不足がある場合に、プライバシー保護を図りつつ、受診経歴のある病院や医療情報集中処理通信センタ装置３から、ミニマムデータ以外の、より詳細な患者データ（即ち、詳細患者データ）を取得して、その効果的な診療と治療を可能とする処理である。
【０１１５】
図５は、この「ミニマムデータ及び必要患者データの転送処理」を説明するための概念図であり、図６は、この「詳細患者データの転送処理」を説明するための概念図である。また、図７は、図５に示す転送処理における運営側（医療情報集中処理通信センタ装置３）と病院Ａ側及び病院Ｂ側（医療機関通信装置４）との伝送シーケンス図である。そして、図８は、図７における病院Ａ側（医療機関通信装置４）の処理手順を示すフローチャートであり、図９は、図７における病院Ｂ側（医療機関通信装置４）の処理手順を示すフローチャートであり、図１０は、図７における運営側（医療情報集中処理通信センタ装置３）の処理手順を示すフローチャートである。
【０１１６】
まず、「ミニマムデータ及び必要患者データの転送処理」について説明する。
【０１１７】
図５及び図７から図１０において、医療機関通信装置４が夫々配置された病院Ａ側及び病院Ｂ側から、医療情報集中処理通信センタ装置３が配置された運営側への患者データの登録が行われる（図８ステップＳ１、図９ステップＳ１１並びに図１０ステップＳ３１及びＳ３２）。
【０１１８】
尚、このような患者データによるミニマムデータの登録は、法令、条例等を介して画一的に或いは契約等を介して個別的に、患者により承諾を受けるようにする。
【０１１９】
その後、例えば数日や数ヶ月或いは数年を経た後に、医療機関通信装置４が配置された病院Ｂ側から、医療情報集中処理通信センタ装置３が配置された運営側へ、患者データを参照することの患者からの承諾を得ると（図９ステップＳ１２（承諾））、当該患者データの転送要求を、医療機関通信装置４が配置された病院Ｂ側から、医療情報集中処理通信センタ装置３が配置された運営側に転送する（図９ステップＳ１３及び図１０ステップＳ３３）。
【０１２０】
尚、図９のステップＳ１２及びＳ１３では、患者によりミニマムデータの参照が承諾された旨を示す承諾情報を提示してミニマムデータの転送の要求を行い、図１０のステップＳ３３及びＳ３４では、この承諾情報の提示を条件にミニマムデータを転送するように構成してもよい。或いは、患者が患者データの登録時にミニマムデータの参照を承諾しているのであれば、このような承諾情報を、図８のステップＳ１、図９のステップＳ１１及び図１０のステップS３２の段階で、ミニマムデータに付加しておき、図１０のステップＳ３３及びＳ３４では、この承諾情報が付加されたミニマムデータに係る患者については無条件に（即ち、再度の承諾を必要とせずに）転送するように構成してもよい。但し、このような承諾情報を用いなくても、転送要求を行う病院の責任者が、当該患者の口頭や書面による承諾に応じて、責任を持って転送要求を行う構成としてもよい。
【０１２１】
医療情報集中処理通信センタ装置３が配置された運営側では、該当するミニマムデータを、図３中のデータベース装置１８から読み出して、医療機関通信装置４が配置された病院Ｂ側に転送する（図１０ステップＳ３４）。
【０１２２】
これを受けて、医療機関通信装置４が配置された病院Ｂ側では、取り込んだミニマムデータを一時的に格納し、かつ、画面表示して参照する（図９ステップＳ１４及びＳ１５）。
【０１２３】
このようにして、医療機関通信装置４が配置された病院側が、緊急・救急患者が運び込まれた場合などのように、極めて急いで患者データを必要とする場合に、患者の承諾を得て、例えば、患者氏名のみで緊急・救急対策に必要な、年齢に基づいた処置や、血液型などが判明し、その診療と治療が可能になる。
【０１２４】
また、このような患者データの参照では、患者の承諾が得られない場合、例えば患者が意識不明の場合などがある（図９ステップＳ１２（不承諾））。この場合、医療機関通信装置４が配置された病院Ｂ側から、医療情報集中処理通信センタ装置３が配置された運営側に、今回実際の診療や治療に必要なミニマムデータよりも情報量の少ない又は多い、ミニマムデータ以外の患者データを含む必要患者データの転送を要求する（図９ステップＳ１６）。
【０１２５】
尚、図９のステップＳ１６では、緊急・救急時である旨を示す緊急時情報を提示して必要患者データの転送の要求を行い、図１０のステップＳ３５からＳ３７では、この緊急時情報の提示を条件に必要患者データを転送するように構成してもよい。或いは、患者が患者データの登録時に、緊急・救急時におけるミニマムデータや必要患者データの参照を承諾しているのであれば、その旨の承諾情報を、図８のステップＳ１、図９のステップＳ１１及び図１０のステップS３２の段階で、ミニマムデータに付加しておき、図１０のステップＳ３５からＳ３７では、この承諾情報が付加されたミニマムデータについては無条件に（即ち、再度の承諾を必要とせずに）転送するように構成してもよい。但し、このような承諾情報を用いなくても、緊急・救急時の病院の責任者や患者の家族等が、自らの責任を持って転送要求を行う構成としてもよい。
【０１２６】
更に、ミニマムデータや必要患者データを如何なる条件で参照可能とするかについては、予め患者本人と運営側との間で取り決めておく（例えば、緊急・救急時であって患者の意識が無い条件では、人命尊重のため積極的に参照可能とする旨の包括的又は個別的な契約をしておく）ことが望ましい。
【０１２７】
医療情報集中処理通信センタ装置３が配置された運営側は、この必要患者データの転送要求を受け取ると（図１０ステップＳ３５）、その必要患者データを、図３に示すデータベース装置１８にデータベースエンジンによるトラッキングを実行して検索し（図１０ステップＳ３６）、得られた必要患者データを、医療機関通信装置４が配置された病院Ｂ側に転送する（図１０ステップＳ３７）。
【０１２８】
医療機関通信装置４が配置された病院Ｂ側では、必要患者データを取り込み一時的に格納し、かつ、画面表示して参照する（図９ステップＳ１７及びＳ１８）。
【０１２９】
このようにして、医療機関通信装置４が配置された病院側が、緊急・救急患者が運び込まれた場合などのように、極めて急いで必要患者データを必要とする場合に、患者の承諾が得られない場合にも、例えば、患者氏名のみで緊急・救急対策に必要な血液型などが判明し、その診療と治療が可能になる。
【０１３０】
なお、このミニマムデータや必要患者データは、前述の如く例えば、患者ごとの電子カルテ作成時に、そのデータの必要事項を医療機関処理共用通信システム３ａから医療機関データ集中処理通信システム３ｂが取り込んでデータベース装置１８が、その更新・追加を行っているものである。
【０１３１】
次に、「詳細患者データの転送処理」について説明する。
【０１３２】
詳細患者データの転送処理は、前記した「ミニマムデータの転送処理」により得られるミニマムデータ或いは必要患者データだけでは、病院Ｂ側において実際の診療や治療を行うのが困難である場合に実行されるものであり、次の（ａ）及び（ｂ）の場合がある。
（ａ）医療情報集中処理通信センタ装置３が配置された運営側が、そのデータベース１８に予め登録されている患者データ中から、詳細患者データを転送する場合
（ｂ）ミニマムデータや必要患者データに記載のある受診経歴がある医療機関通信装置４が配置された病院Ａ側から、Ｅメール方式で詳細患者データを取得する場合
図６から図１０において、前記（ａ）の場合では、まず、患者にかかるミニマムデータや必要患者データが不足であると判断すると（図９ステップＳ１９：ＹＥＳ）、詳細患者データ問い合わせ依頼を、医療機関通信装置４が配置された病院Ｂ側から、医療情報集中処理通信センタ装置３が配置された運営側に対して、送信する（図９ステップＳ２０）。
【０１３３】
これを受けて、医療情報集中処理通信センタ装置３が配置された運営側では、詳細患者データ問い合わせ依頼を受信すると（図１０ステップＳ３８：ＹＥＳ）、この詳細患者データを運営側のデータベース内で検索できない場合に備えてメールボックスに一時的に格納しておき、図３に示すデータベース装置１８にデータベースエンジンによるトラッキングを実行し（図１０ステップＳ３９）、検索した詳細患者データを、医療機関通信装置４が配置された病院Ｂ側に転送する（図１０ステップＳ４０（あり）及びＳ４１）。
【０１３４】
これを受けて、医療機関通信装置４が配置された病院Ｂ側は、詳細患者データを取り込んだ画面表示して参照する（図９ステップＳ２１及びＳ２２）。
【０１３５】
他方、このトラッキングで詳細患者データが検索できなかった前記（ｂ）の場合には、換言すれば、該当する詳細患者データが運営側のデータベース内に格納されていない場合（図１０ステップＳ４０（なし））、医療情報集中処理通信センタ装置３が配置された運営側のメールボックスから、常時回線接続中の、医療機関通信装置４に配置された病院Ａ側に詳細な患者データ問い合わせ依頼を自動転送する（図１０ステップＳ４２）。
【０１３６】
尚、患者等からの口頭情報等に基づいて病院Ｂ側で当該患者に係る詳細患者データを有している筈の病院Ａ（例えば、かかりつけの病院や通院経験のある病院など）が判明する場合もあることに鑑み、病院Ｂ側の施設処理装置４から、問い合わせ先の病院を特定する情報を発信し、且つこの情報により医療情報集中処理通信センタ装置３で病院Ａを特定するように構成してもよい。
【０１３７】
これを受けて、医療機関通信装置４が配置された病院Ａ側は、データベース装置から該当する患者の詳細患者データを自動的に読み出し、或いは、手動操作で電子メール電文を作成した後、医療情報集中処理通信センタ装置３が配置された運営側経由又は直接、医療機関通信装置４が配置された病院Ｂ側に転送する（図８ステップＳ２〜Ｓ４、並びに図９ステップＳ２１及びＳ２２）。
【０１３８】
なお、病院Ａ側からの詳細患者データの発信は、電子メールに代えてファクシミリ電文を送信することで実行してもよい。
【０１３９】
医療情報集中処理通信センタ装置３が配置された運営側を経由する場合には、詳細患者データを、医療機関通信装置４が配置された病院Ｂ側に転送し、また、例えば、即時に転送されてこなかった場合や予め定めた時間内に転送されてこなかった場合には、その詳細患者データ転送なしを通知する（図１０ステップＳ４３及びＳ４４）。
【０１４０】
このようにして、医療機関通信装置４が配置された病院Ｂ側が、患者のミニマムデータや必要患者データが得られない場合には、医療情報集中処理通信センタ装置３が配置された運営側に格納されている、詳細患者データを、医療機関通信装置４が配置された病院Ｂ側が参照できるようになる。また、医療情報集中処理通信センタ装置３が配置された運営側に、詳細患者データが格納さてれていない場合には、受診履歴があると共に医療機関通信装置４が配置された病院Ａ側に問い合わせることによって、その詳細患者データ参照が可能になって、迅速な治療や処置ができるようになる。
【０１４１】
尚、図９のステップＳ２０では、緊急・救急時である旨を示す緊急時情報を提示して詳細患者データの転送の要求を行い、図１０のステップＳ３８からＳ４４では、この緊急時情報の提示を条件に詳細患者データを転送するように構成してもよい。或いは、患者が患者データの登録時に、緊急・救急時における詳細患者データの参照を承諾しているのであれば、その旨の承諾情報を、図８のステップＳ１、図９のステップＳ１１及び図１０のステップS３２の段階で、ミニマムデータに付加しておき、図１０のステップＳ３８からＳ４４では、この承諾情報が付加されたミニマムデータに係る患者については無条件に（即ち、再度の承諾を必要とせずに）転送するように構成してもよい。但し、このような承諾情報を用いなくても、緊急・救急時の病院の責任者や患者の家族等が、自らの責任を持って転送要求を行う構成としてもよい。
【０１４２】
（５）実施形態の変形例
次に、この実施形態の変形例について説明する。
【０１４３】
図１の通信ネットワークは、特に、ＴＣＰ／ＩＰ方式に限定されない。多種のデータ通信方式の適用が可能である。例えば、複数のイーサネット（登録商標）（ＬＡＮ）を高速通信ネットワークで接続したＦＤＤＩ(Fiber Distributed Data Interface)・ＬＡＮ（クライアントサーバシステム）として構築することも可能である。
【０１４４】
また、図１におけるデジタル固定通信回線網１に代えて、通信制御装置（ＮＣＵ）や変復調装置（モデム）などの配置によるアナログ固定通信回線網を使用することも可能である。
【０１４５】
さらに、前記した実施形態では、患者の医療情報の秘密保持を図るため、ＳＳＬによる転送データの暗号化、識別符号（ＩＤ）及びパスワードによるアクセスをもって説明したが、転送プログラムや医療データの破壊防止を行う必要がある。例えば、この破壊として盗聴（通信経路上での悪意あるデータ取得）、否認（通信相手先での通信の否定）、改造（通信経路上での第三者による伝送データの改変）、なりすまし（第三者が他人になりすましてデータ伝送を行う）があり、このため、慣用暗号系(conventional encryption system)や公開鍵暗号化系(public key encryption／ＲＳＡ，ＭＨ)による顧客情報などの破壊防止対策をとるのが好ましい。
【０１４６】
さらに、図１に示す通信ネットワークでは、一台の医療情報集中処理センタ通信装置３を配置した例をもって説明したが、システムダウンによる伝送中断（医療情報処理不能）を避ける必要がある。このための構成は、既知の分散処理システムであり、複数の医療情報集中処理センタ通信装置３を通信回線網に設置する。
【０１４７】
また、図１に示す通信ネットワークでは、医療情報集中処理センタ通信装置３を、医療機関処理共用通信システム３ａと医療機関データ集中処理通信システム３ｂとをもって説明したが、運用規模（医療機関通信装置４の収容数に対応）が小さい場合は、特に、医療機関処理共用通信システム３ａと医療機関データ集中処理通信システム３ｂとを一体化した一つの通信システムとして構成しても良い。これらは伝送容量（トラフィック量）やデータ処理量を考慮して構成する。
【０１４８】
また、医療情報集中処理センタ通信装置３は、必要に応じて、例えば、病院や患者との電話通話やファクシミリ通信を行う。この場合、図２に示す医療機関処理共用通信システム３ａと図３に示す医療機関データ集中処理通信システム３ｂに、ＦＡＸサーバ、ＶｏＩＰ電話機を収容するＶｏＩＰサーバ（コンピュータ電話統合ＣＴＩ:Computer Telephony Integration ）を設けることになる。
【０１４９】
このような変形例は、当業者にとって容易に創達できる技術的な範囲であり、これらは本発明の範囲に含まれる。
【０１５０】
次に図１１を参照して、テンプレート（データ入力用定型フォーム）を用いた本実施形態における患者データの入力処理の具体例について説明を加える。
【０１５１】
図１１（ａ）に示すように、医療機関通信装置４等において患者データを入力する際の表示装置の画面２０１ａには、患者識別番号、診療科名等をテキスト入力する欄２１１の他、テンプレート呼び出し用のボタン２１０が表示される。操作者が、このボタン２１０をマウス等で操作すると、図１１（ｂ）に示すように、テンプレート選択用のウインドウ画面２２０が、表示装置の画面２０１ｂ内に表示される。ここでは、「重症急性初診その１」、「重症急性初診その２」、「重症急性初診その１」等の種類に応じて予め用意された複数のテンプレートの中から所望の一つを選択するためのウインドウ画面２２０が表示される。そして、ウインドウ画面２２０中のテンプレート名称の中から、所望の一つに対応するものを操作者がマウス等で選択すると、図１１（ｃ）に示すように、この選択されたテンプレートが表示装置の画面２０１ｃ内に表示される。この具体例では、「性別」、「年齢」等の項目別にテキスト入力欄２３０が設けられている。これら複数の項目は、テンプレートの種類別に予め設定されている。そして、この具体例では特に、各テキスト入力欄２３０の右側に、その欄の項目に対するプライバシー保護のランクを示すチェックボックス２３１が設けられている。例えば、“Ａ”のチェックボックス２３１を、黒塗りチェックすれば、その項目に対してはプライバシー保護の度合いを高く設定したことになる。そして、このように承諾情報の一例として入力されるプライバシー保護のランクに基づいて、前述したミニマムデータ等を規定する患者データの情報量に対する患者の承諾レベルを定めること、或いはミニマムデータを選別することが可能となる。
【０１５２】
以上の如きテンプレートを用いた患者データの入力処理は、医療機関通信装置４内において、医療機関小型汎用コンピュータ４ｂによる制御下で実行されてもよい。或いは、テンプレートのライブラリを医療情報集中処理センタ通信装置３側に設けて、医療機関通信装置４からデジタル固定通信回路網１等を介してこれに適宜アクセスするように構成してもよい。更にデジタル固定通信回路網１等を介しての医療情報集中処理センタ通信装置３の制御下で、医療機関通信装置４内におけるブラウザ上で実行されてもよい。
【０１５３】
図１１に示した具体例によれば、予め用意された複数のテンプレートのうち、当該患者に見合ったものを選択することにより、適切な患者データを迅速に入力することができ、更にこれに紐付けた形で患者の承諾レベルを示すデータを容易に入力でき、或いはミニマムデータの選別を容易に行うことができるので、実践上大変便利である。
【０１５４】
本発明は、上述した各実施形態に限られるものではなく、請求の範囲及び明細書全体から読み取れる発明の要旨或いは思想に反しない範囲で適宜変更可能であり、そのような変更を伴なう医療情報提供・取得システム及び方法、並びにコンピュータプログラムもまた本発明の技術的範囲に含まれるものである。尚、本発明の医療情報提供・取得システムが対象とする医療とは、病院医療のみならず、看護医療や在宅医療をも含むことは言うまでもない。
【図面の簡単な説明】
【０１５５】
【図１】本発明の実施形態における双方向通信ネットワーク構成例のブロック図である。
【図２】図１の実施形態における医療機関処理共用通信システムの構成例を示すブロック図である。
【図３】図１の実施形態における医療機関データ集中処理通信システムの構成例を示すブロック図である。
【図４】図１の実施形態にあって医療機関通信システムの構成例を示すブロック図である。
【図５】実施形態におけるミニマムデータの転送処理を説明するための概念図である。
【図６】実施形態における詳細患者データの転送処理を説明するための概念図である。
【図７】本実施形態における伝送シーケンス図である。
【図８】本実施形態における病院側の処理手順を示すフローチャートである。
【図９】本実施形態における他の病院側の処理手順を示すフローチャートである。
【図１０】本実施形態における運営側の処理手順を示すフローチャートである。
【図１１】本実施形態における患者データを入力するためのテンプレートを示す図である。
【符号の説明】
【０１５６】
１  デジタル固定通信回線網
３  医療情報集中処理センタ通信装置
３ａ  医療機関処理共用通信システム
３ｂ  医療機関データ集中処理通信システム
４  医療機関通信装置
４ａ  医療機関通信システム
４ｂ  医療機関小型汎用コンピュータ
４ｃ  医療機関処理共用通信システム
５  通信端末
５ａ  小型汎用コンピュータ
５ｂ  携帯電話機
１６、１８  データベース装置
【図１】
2004265438.tif 000003
【図２】
2004265438.tif 000004
【図３】
2004265438.tif 000005
【図４】
2004265438.tif 000006
【図５】
2004265438.tif 000007
【図６】
2004265438.tif 000008
【図７】
2004265438.tif 000009
【図８】
2004265438.tif 000010
【図９】
2004265438.tif 000011
【図１０】
2004265438.tif 000012
【図１１】
2004265438.tif 000013